(57)【要約】      （修正有）【課題】歩度の調整作業の容易化を図ることができるてん輪を提供する。【解決手段】てん輪は、リム１１０およびアーム１２１を含む本体部と、調整用錘１３１と、目盛２１３と、を備える。調整用錘１３１は、本体部に設けられ、回転により本体部に対する相対的な重心位置が変化する。目盛２１３は、本体部または調整用錘１３１に設けられ、調整用錘１３１の回転中心を中心とした円周上に配列され、調整用錘１３１の回転角と調整用錘１３１がてん輪に与える慣性モーメントの調整量との間の関係に応じた一定でない間隔で設けられている。【選択図】図２
2020134308.tif 000002
【特許請求の範囲】
【請求項１】
機械式時計の調速装置に含まれるてん輪において、
リムおよび前記リムの内側のアームを含む本体部と、
前記本体部に設けられ、回転により前記本体部に対する相対的な重心位置が変化する調整用錘と、
前記本体部または前記調整用錘に設けられ、前記調整用錘の回転中心を中心とした円周上に配列され、前記調整用錘の回転角と前記調整用錘が前記てん輪に与える慣性モーメントの調整量との間の関係に応じた一定でない間隔で設けられた複数の目盛と、
を備えることを特徴とするてん輪。
【請求項２】
前記本体部および前記調整用錘のうち前記複数の目盛が設けられていない方に設けられ、前記複数の目盛のうち前記調整用錘の回転角に応じた目盛を示す印を備え、
前記複数の目盛の間の各間隔は、前記調整用錘の回転に応じて前記印が示す目盛が変化する回数と前記慣性モーメントの調整量とが比例する各間隔である、
ことを特徴とする請求項１に記載のてん輪。
【請求項３】
てん輪を用いた調速装置を備える機械式時計において、
前記てん輪は、
リムおよび前記リムの内側のアームを含む本体部と、
前記本体部に設けられ、回転により前記本体部に対する相対的な重心位置が変化する調整用錘と、
前記本体部または前記調整用錘に設けられ、前記調整用錘の回転中心を中心とした円周上に配列され、前記調整用錘の回転角と前記調整用錘が前記てん輪に与える慣性モーメントの調整量との間の関係に応じた一定でない間隔で設けられた複数の目盛と、
を備えることを特徴とする機械式時計。
【発明の詳細な説明】
【技術分野】
【０００１】
この発明は、てん輪および機械式時計に関する。
【背景技術】
【０００２】
従来、ぜんまいばねを用いた、手巻きや自動巻きの機械式時計が知られている。また、機械式時計の歩度調整を行うための構成として、たとえば、機械式時計の調速装置のてん輪に調整用錘を設け、その調整用錘を手作業等により回転させることによっててん輪の慣性モーメントを変化させる構成が知られている。また、てん輪のインサートの周縁部に、留めツメと協働する歯部を設けることにより、特定の角度位置での保持を容易にする構成が知られている（たとえば、下記特許文献１参照。）。
【先行技術文献】
【特許文献】
【０００３】
【特許文献１】特開２０１３−５３１２５８号公報
【発明の概要】
【発明が解決しようとする課題】
【０００４】
しかしながら、上述した従来技術では、てん輪の慣性モーメントを正確に調整するための調整用錘の回転量を調整者が容易に把握することができないため、機械式時計の歩度調整が困難という問題がある。これに対して、たとえば、調整用錘に一定間隔の目盛を設け、調整者がその目盛を見て調整用錘を回転させることも考えられる。しかし、てん輪の慣性モーメントの変化量と調整用錘の回転量とは比例しないため、一定間隔の目盛を見ても、てん輪の慣性モーメントを正確に調整するための調整用錘の回転量を視覚的に把握することは困難である。
【０００５】
また、上述した従来技術では、てん輪に対して行った慣性モーメントの調整の量を把握することが困難という問題がある。これに対して、たとえば、上述のように調整用錘に一定間隔の目盛を設けることも考えられる。しかし、慣性モーメントを調整したてん輪について、調整用錘の回転量とてん輪の慣性モーメントの変化量とは比例しないため、慣性モーメントをどの程度調整したのかを視覚的に把握することが困難という問題がある。このため、たとえば、てん輪の調整前の製造工程における品質管理等のために、調整前のてん輪に生じた慣性モーメントのずれ量等の情報を得ることが困難である。
【０００６】
この発明は、上述した従来技術による問題点を解消するため、歩度の調整作業の容易化を図ることができるてん輪および機械式時計を提供することを目的とする。別の側面では、この発明は、てん輪に対して行った慣性モーメントの調整の量の把握の容易化を図ることを目的とする。
【課題を解決するための手段】
【０００７】
上述した課題を解決し、目的を達成するため、この発明にかかるてん輪は、機械式時計の調速装置に含まれるてん輪において、リムおよび前記リムの内側のアームを含む本体部と、前記本体部に設けられ、回転により前記本体部に対する相対的な重心位置が変化する調整用錘と、前記本体部または前記調整用錘に設けられ、前記調整用錘の回転中心を中心とした円周上に配列され、前記調整用錘の回転角と前記調整用錘が前記てん輪に与える慣性モーメントの調整量との間の関係に応じた一定でない間隔で設けられた複数の目盛と、を備えることを特徴とする。
【０００８】
また、この発明にかかるてん輪は、前記本体部および前記調整用錘のうち前記複数の目盛が設けられていない方に設けられ、前記複数の目盛のうち前記調整用錘の回転角に応じた目盛を示す印を備え、前記複数の目盛の間の各間隔が、前記調整用錘の回転に応じて前記印が示す目盛が変化する回数と前記慣性モーメントの調整量とが比例する各間隔である、ことを特徴とする。
【０００９】
また、この発明にかかる機械式時計は、てん輪を用いた調速装置を備える機械式時計において、前記てん輪が、リムおよび前記リムの内側のアームを含む本体部と、前記本体部に設けられ、回転により前記本体部に対する相対的な重心位置が変化する調整用錘と、前記本体部または前記調整用錘に設けられ、前記調整用錘の回転中心を中心とした円周上に配列され、前記調整用錘の回転角と前記調整用錘が前記てん輪に与える慣性モーメントの調整量との間の関係に応じた一定でない間隔で設けられた複数の目盛と、を備えることを特徴とする。
【発明の効果】
【００１０】
この発明の一側面によれば、歩度の調整作業の容易化を図ることができるという効果を奏する。
【図面の簡単な説明】
【００１１】
【図１】図１は、実施の形態にかかるてん輪の一例を示す斜視図である。
【図２】図２は、実施の形態にかかるてん輪の調整用錘の一例を示す斜視図である。
【図３】図３は、実施の形態にかかるてん輪の調整用錘の一例を示す平面図である。
【図４】図４は、実施の形態にかかるてん輪における調整用錘の回転角と慣性モーメントの調整量との間の関係の一例を示すグラフである。
【図５】図５は、実施の形態にかかるてん輪において基準線をアームの表面に設けた構成の一例を示す図である。
【図６】図６は、実施の形態にかかるてん輪において目盛を調整用錘の側面に設けた構成の一例を示す図である。
【図７】図７は、実施の形態にかかるてん輪において目盛をアームに設けた構成の一例を示す斜視図である。
【図８】図８は、実施の形態にかかるてん輪において目盛をアームに設けた構成の一部の一例を示す平面図である。
【図９】図９は、実施の形態にかかるてん輪の目盛の他の一例を示す図である。
【発明を実施するための形態】
【００１２】
以下に図面を参照して、この発明にかかるてん輪および機械式時計の実施の形態を詳細に説明する。
【００１３】
（実施の形態）
（実施の形態にかかるてん輪）
図１は、実施の形態にかかるてん輪の一例を示す斜視図である。図１に示すように、実施の形態にかかるてん輪１００は、リム１１０と、アーム１２１〜１２４と、調整用錘１３１〜１３４と、を有し、天真１４０を中心に回転可能である。
【００１４】
てん輪１００は、たとえばガンキ車やアンクルとともに、機械式時計の調速装置に用いられる。この機械式時計は、たとえば、手巻き、自動巻き、または手巻きと自動巻きの両方が可能な機械式時計である。また、この機械式時計は、たとえば腕時計であるが、腕時計に限らず懐中時計、置き時計、または掛け時計などであってもよい。
【００１５】
リム１１０およびアーム１２１〜１２４は、てん輪１００の本体部であり、たとえば真鍮などの金属により形成される。ただし、リム１１０およびアーム１２１〜１２４は、真鍮などの金属に限らず、高精度に形成が可能な各種の部材により形成することができる。また、リム１１０およびアーム１２１〜１２４は、たとえば継ぎ目のない一体の金属部材として形成される。
【００１６】
リム１１０は、たとえば円環形状であり、内周部分がアーム１２１〜１２４と接続している。また、リム１１０は、リム１１０の重心位置が天真１４０の軸と一致するように設計される。
【００１７】
アーム１２１〜１２４は、それぞれ、リム１１０の内側に、リム１１０の円環形状の半径方向に設けられている。具体的には、アーム１２１〜１２４は、それぞれの一端がリム１１０の円環形状の中心付近で互いに接続されており、それぞれの他端はリム１１０の内周部分のそれぞれ異なる位置に接続されている。また、アーム１２１〜１２４は、アーム１２１〜１２４の全体の重心位置が天真１４０の軸と一致するように設計される。アームは、たとえばブリッジとも呼ばれる。
【００１８】
図１に示す例では、アーム１２１〜１２４は、互いに同じ形状（大きさも含む）であり、天真１４０の軸に対して対称な各位置に設けられている。たとえば、天真１４０の軸と平行な方向から見て、アーム１２１〜１２４からなる図形（十字型の図形）は、天真１４０の軸を中心に９０度回転させた形状が回転前の形状と一致する４回対称の図形となる。
【００１９】
すなわち、リム１１０およびアーム１２１〜１２４は、ともに天真１４０を中心として回転する一体の回転体であり、この一体の回転体の重心位置が天真１４０の軸と一致するように設計されている。
【００２０】
天真１４０は、てん輪１００の回転軸である。具体的には、天真１４０は、リム１１０の円環形状の中心、すなわちアーム１２１〜１２４が交わる位置に、アーム１２１〜１２４に対して回転可能に設けられる。
【００２１】
てん輪１００は、天真１４０の軸を中心に回転する際の慣性モーメントが一定となるように形状（大きさも含む）が設計される。たとえば、てん輪１００は、調速装置における天真１４０の軸を中心とした往復回転運動の周期が毎秒８回となるように設計される。
【００２２】
これにより、設計通りに製造されたてん輪１００を機械式時計の調速装置に用いることにより、機械式時計の高精度な歩度を実現可能になる。また、上述のようにてん輪１００の重心位置が天真１４０の軸と一致するように設計されているため、設計通りに製造されたてん輪１００を機械式時計の調速装置に用いることにより、機械式時計の傾き角度によらず、高精度な歩度を実現可能になる。
【００２３】
しかしながら、てん輪１００の製造ばらつきや経年変化により、てん輪１００の慣性モーメントが設計値からずれたり、てん輪１００の重心位置が天真１４０の軸からずれたりする場合がある。これらのずれを補正するために、てん輪１００の各位置に調整用錘１３１〜１３４が設けられている。図１に示す例では、調整用錘１３１〜１３４は互いに同じ形状（大きさも含む）の錘である。調整用錘は、たとえばマスロットとも呼ばれる。
【００２４】
調整用錘１３１〜１３４のそれぞれは、取り付け先（たとえばアーム）に対する相対的な重心位置を調整可能な錘である。調整用錘１３１〜１３４は、たとえばリム１１０やアーム１２１〜１２４と同様に真鍮などの金属により形成することができる。ただし、調整用錘１３１〜１３４は、真鍮などの金属に限らず、高精度に形成が可能な各種の部材により形成することができる。
【００２５】
たとえば、調整用錘１３１は、アーム１２１に設けられており、アーム１２１に対して回転可能になっている。一例としては、アーム１２１の表面には、天真１４０の軸と平行なピンが設けられており、調整用錘１３１には天真１４０の軸と平行な方向に貫通する孔が設けられている。そして、調整用錘１３１の孔にアーム１２１のピンが嵌合することにより、調整用錘１３１がアーム１２１に対して回転可能な状態で、調整用錘１３１の孔とアーム１２１のピンとの間の摩擦力により調整用錘１３１がアーム１２１に保持される。
【００２６】
また、調整用錘１３１の重心位置は、調整用錘１３１のアーム１２１に対する回転の中心（たとえば上述の孔の位置）からずれている。したがって、調整用錘１３１を回転させることにより、調整用錘１３１が設けられたてん輪１００の重心位置を変化させ、てん輪１００の慣性モーメントを変化させることができる。
【００２７】
調整用錘１３１について説明したが、調整用錘１３２〜１３４についても調整用錘１３１と同様である。ただし、調整用錘１３２〜１３４はそれぞれアーム１２２〜１２４に設けられている。
【００２８】
したがって、上述のてん輪１００の製造ばらつき等があっても、調整用錘１３１〜１３４を回転させることにより、てん輪１００の慣性モーメントや、てん輪１００の重心位置のずれを補正することができる。
【００２９】
また、調整用錘１３１〜１３４には、慣性モーメントの変化量が等しい間隔の複数の目盛が設けられている。慣性モーメントの変化量が等しい間隔の複数の目盛とは、たとえば、てん輪１００の慣性モーメントを一定量ずつ変化させる回転量を示す各目盛である。てん輪１００の慣性モーメントの変化量と調整用錘１３１〜１３４の回転量との間の関係は非線形の関係であるため、この目盛は互いに不等間隔の（等間隔でない）各目盛となる。調整用錘１３１〜１３４の形状や目盛については後述する（たとえば図２，図３参照）。
【００３０】
（実施の形態にかかるてん輪の調整用錘）
図２は、実施の形態にかかるてん輪の調整用錘の一例を示す斜視図である。図３は、実施の形態にかかるてん輪の調整用錘の一例を示す平面図である。図２においては、調整用錘１３１と、アーム１２１およびリム１１０のうち調整用錘１３１の周辺の部分と、を図示している。図３においては、調整用錘１３１と、アーム１２１のうち調整用錘１３１の周辺の部分と、を図示している。
【００３１】
調整用錘１３１について説明するが、調整用錘１３２〜１３４についても調整用錘１３１と同様である。図２，図３に示すように、調整用錘１３１は、全体的には円盤形状であり、孔２１１、切欠部２１２および目盛２１３を有する。図２，図３に示す例では、調整用錘１３１の円盤形状の上面の外周部が面取りされている。
【００３２】
図２，図３に示すピン２２１は、アーム１２１の表面に設けられ、天真１４０の軸と平行、すなわちアーム１２１の表面に対して垂直に設けられたピンである。また、ピン２２１は、全体として、底面がアーム１２１の表面に接した円柱形状である。たとえば、ピン２２１は、アーム１２１とともに継ぎ目のない一体の金属部材として形成される。図２，図３に示す例では、ピン２２１の上面の外周部が面取りされている。
【００３３】
ピン２２１の上面には、ピン２２１の上面の円形状の経方向の基準印２２２が設けられている。基準印２２２は、複数の目盛２１３のうち、調整用錘１３１の回転角に応じた目盛を示す印である。図２，図３に示す例では、基準印２２２は、アーム１２１を基準とした特定の方向を示す線分であり、リム１１０の円環形状の経方向と直交する方向の線分である。また、図２，図３に示す例では、基準印２２２は、上述のピン２２１の面取りされた部分も含めて設けられている。
【００３４】
アーム１２１に対して調整用錘１３１を回転させると、複数の目盛２１３と基準印２２２との間の相対的な位置関係が変化する。たとえば、複数の目盛２１３は、調整用錘１３１がてん輪１００に対して与える慣性モーメントの各調整量に対応している。そして、複数の目盛２１３のうち基準印２２２と同じ方向となる目盛に対応する調整量が、調整用錘１３１がてん輪１００に対して現在与えている慣性モーメントの調整量となるように基準印２２２の方向が設計される。
【００３５】
調整用錘１３１の孔２１１は、天真１４０の軸の方向（調整用錘１３１の円盤形状の厚み方向）と平行に、調整用錘１３１の中央に設けられた孔である。この孔２１１に対してアーム１２１のピン２２１が嵌合することにより、調整用錘１３１がアーム１２１に対して回転可能な状態で、調整用錘１３１の孔２１１とアーム１２１のピン２２１との間の摩擦力により調整用錘１３１がアーム１２１に保持される。
【００３６】
切欠部２１２は、天真１４０の軸の方向から見て、調整用錘１３１の孔２１１と、調整用錘１３１の外周上の１点と、を結ぶ経方向の切欠部である。したがって、調整用錘１３１は、天真１４０の軸の方向から見てＣ字形状になっている。その結果、調整用錘１３１の重心位置は、調整用錘１３１の回転中心（孔２１１の位置）から、切欠部２１２とは反対側にずれた位置になる。
【００３７】
このため、ピン２２１を中心に調整用錘１３１を回転させることにより、アーム１２１に対する調整用錘１３１の相対的な重心位置が変化し、それにより、てん輪１００の慣性モーメントと、てん輪１００の重心位置と、を調整することができる。
【００３８】
たとえば調整用錘１３１の切欠部２１２が天真１４０に近い位置になるほど、てん輪１００の慣性モーメントは大きくなり、てん輪１００の重心位置は天真１４０から調整用錘１３１へ向かう方向へ移動する。また、調整用錘１３１の切欠部２１２が天真１４０から遠い位置になるほど、てん輪１００の慣性モーメントは小さくなり、てん輪１００の重心位置は調整用錘１３１から天真１４０へ向かう方向へ移動する。
【００３９】
目盛２１３は、調整用錘１３１の円盤形状の上面（面取りされた部分も含む）に設けられた複数の目盛線からなる。目盛２１３の各目盛線は、天真１４０の軸の方向から見て、調整用錘１３１の中央と、調整用錘１３１の外周上のそれぞれ異なる点と、を結ぶ線分である。したがって、目盛２１３の各目盛線は、調整用錘１３１の回転中心を中心とした円周上に（すなわち円周方向に）配列されている。
【００４０】
目盛２１３および基準印２２２のそれぞれは、たとえば、調整用錘１３１に対して溝または隆起を形成したり、調整用錘１３１に対して着色したりすることにより、調整者が視認できるように形成される。たとえば、目盛２１３および基準印２２２のそれぞれは、調整用錘１３１に対するレーザ加工、プレス加工、印刷など任意の方法により形成される。
【００４１】
てん輪１００を調速装置に用いた機械式時計の歩度を調整する調整者は、目盛２１３と基準印２２２との間の相対的な位置関係を見ながら調整用錘１３１を回転させることによりてん輪１００の慣性モーメントを調整する。ここで、目盛２１３の各目盛線の間隔は、一定ではなく、調整用錘１３１の回転角と、調整用錘１３１がてん輪１００に与える慣性モーメントの調整量と、の間の非線形な関係に応じた、等間隔でない間隔となっている。
【００４２】
ここで、調整用錘１３１の回転角とは、たとえば、調整用錘１３１のある状態を基準として、その状態から調整用錘１３１が何度回転した状態かを示す量（回転位相）である。ただし、調整用錘１３１は一回転すると元の状態に戻るため、調整用錘１３１の回転角は周期性を有する。一例としては、調整用錘１３１の回転角は、−１８０度以上かつ１８０度未満の範囲の値である。
【００４３】
たとえば、複数の目盛２１３のうち基準印２２２が示す目盛（基準印２２２と方向が一致する目盛）が１目盛だけ変化するように調整用錘１３１を回転させるごとに、調整用錘１３１がてん輪１００に与える慣性モーメントの調整量が一定量だけ変化するように、目盛２１３の各目盛の配置が設計される。その結果、目盛２１３の各目盛線の間隔は不等間隔となる。調整用錘１３１の回転角と、調整用錘１３１がてん輪１００に与える慣性モーメントの調整量と、の間の非線形な関係については後述する（たとえば図４参照）。
【００４４】
天真１４０の軸の方向から見てＣ字形状の調整用錘１３１について説明したが、調整用錘１３１の形状はこれに限らず、天真１４０の軸の方向から見てＵ字形状やＤ字形状などであってもよい。また、調整用錘１３１は、切欠部（たとえば切欠部２１２）を有することにより重心が偏っているものに限らず、たとえば回転中心以外の部分に突起等を有することにより重心が偏っているものであってもよい。すなわち、調整用錘１３１には、たとえば回転させることによりアーム１２１に対する相対的な重心位置が変化する各種の錘を用いることができる。
【００４５】
また、図２，図３に示した構成において、基準印２２２を、切欠部２１２の方向と平行な方向ではなく切欠部２１２の方向と直交する方向の線分としてもよい。この場合は、目盛２１３は、たとえば、図２，図３に示した目盛２１３の各目盛線を、調整用錘１３１の回転中心を中心として９０度回転させた各目盛線とする。
【００４６】
（実施の形態にかかるてん輪の慣性モーメントの調整手順）
てん輪１００の慣性モーメントの調整手順の一例について説明する。まず、てん輪１００を用いた調速装置を備える機械式時計を組み立て、組み立てた機械式時計の歩度を測定する。歩度の測定結果は、一例としては日差等の値として得られる。
【００４７】
歩度の測定は、たとえば、機械式時計の調速装置の動作音（たとえばアンクルの動作音）をマイク等で取得し、マイクにより得られた信号をアンプにより増幅し、増幅した信号が示す動作音の周期を電気的な処理により測定する装置により行うことができる。
【００４８】
または、歩度の測定は、機械式時計を時系列的に撮影し、撮影により得られた画像に基づいて機械式時計の動きの周期を測定する装置により行うことができる。機械式時計の動きは、秒針等の指針の動きであってもよいし、調速装置の少なくとも一部が外部から見える機械式時計の場合はその調速装置の少なくとも一部の動きであってもよい。
【００４９】
つぎに、組み立てた機械式時計の歩度の測定結果に基づいて、機械式時計の歩度を正確に調整するためのてん輪１００の慣性モーメントの調整量を算出し、算出した調整量に基づき、たとえば工具を用いて調整用錘１３１〜１３４の少なくともいずれかを回転させる。このとき、天真１４０を中心に対となる各錘（たとえば調整用錘１３１，１３２あるいは調整用錘１３３，１３４）は、その各錘の全体の重心位置が天真１４０の軸からずれないように、同じ回転量となるように回転させることが好ましい。
【００５０】
上述の機械式時計の歩度の測定と調整用錘１３１〜１３４の回転を、測定される歩度が基準範囲内に収まるまで繰り返し行う。これにより、てん輪１００の慣性モーメントの調整が完了する。以上の手順は、作業者による手作業で行われてもよいし、ロボット等により自動的に行われてもよいし、これらを組み合わせた方法で行われてもよい。
【００５１】
（実施の形態にかかるてん輪における調整用錘の回転角と慣性モーメントの調整量との間の関係）
図４は、実施の形態にかかるてん輪における調整用錘の回転角と慣性モーメントの調整量との間の関係の一例を示すグラフである。調整用錘１３１，１３２について説明するが、調整用錘１３３，１３４についても同様である。図４において、横軸は調整用錘１３１，１３２の回転角［°］を示している。縦軸は、調整用錘１３１，１３２がてん輪１００に対して与える慣性モーメントの調整量を、機械式時計の歩度の調整量［ｓｅｃ／ｄａｙ］により示している。
【００５２】
図４に示す例において、調整用錘１３１，１３２の回転角の０［°］は、たとえば、調整用錘１３１，１３２の回転角が図２，図３に示した状態、すなわち調整用錘１３１，１３２の切欠部２１２が、リム１１０の経方向と直交する方向となっている状態である。
【００５３】
調整用錘１３１，１３２の回転角を０［°］から増加させることは、たとえば図２，図３に示した状態の調整用錘１３１，１３２を反時計回りに（切欠部２１２が天真１４０から離れるように）回転させることに相当する。調整用錘１３１，１３２の回転角を０［°］から減少させることは、たとえば図２，図３に示した状態の調整用錘１３１を時計回りに（切欠部２１２が天真１４０に近づくように）回転させることに相当する。
【００５４】
回転角調整量特性４０１は、調整用錘１３１，１３２の回転角の変化に対する歩度の調整量の変化の特性を示している。
【００５５】
回転角調整量特性４０１に示すように、調整用錘１３１，１３２の回転角と歩度（慣性モーメント）の調整量との間の関係は非線形になっている。したがって、図１〜図３に示したように、慣性モーメントの変化量が等しい間隔の目盛２１３は不等間隔の目盛となる。目盛２１３の各目盛線の配置は、たとえば回転角調整量特性４０１に基づいて設計される。
【００５６】
このような目盛２１３をてん輪１００に設けることにより、てん輪１００を調速装置に用いた機械式時計の歩度調整を行う調整者は、この目盛２１３を見ることで、機械式時計の歩度（てん輪１００の慣性モーメント）を正確に調整するために要する調整用錘１３１の回転量を視覚的に容易に把握することができる。
【００５７】
たとえば、調整者は、調整用錘１３１の１目盛分の回転による歩度の変化量を把握しておき、機械式時計の歩度の現在のずれ量をその変化量で除算した数の目盛分だけ調整用錘１３１を回転させる。これにより、機械式時計の歩度を正確に調整することができる。
【００５８】
一例として、調整用錘１３１の１目盛分の回転による歩度の変化量を日差１０秒とし、調整前の機械式時計の歩度の現在のずれ量を日差２０秒とする。この場合に、調整者は、機械式時計の歩度の現在のずれ量である日差２０秒を日差１０秒（変化量）で除算した数に相当する２目盛分だけ調整用錘１３１を回転させる。これにより、機械式時計の日差をほぼ０にすることができる。なお、調整用錘１３１を回転させる方向については、調整前の機械式時計の歩度の現在のずれの正負により容易に把握することができる。
【００５９】
また、上述のように、天真１４０を中心として対になる調整用錘１３１，１３２を同じ回転量で調整する場合は、たとえば、調整用錘１３１，１３２をそれぞれ１目盛分だけ回転させる。これにより、てん輪１００の重心位置のずれを抑制しつつ、機械式時計の日差をほぼ０にすることができる。
【００６０】
機械式時計の歩度の調整量と目盛の数とを対応付けて歩度調整を行う場合について説明したが、てん輪１００の慣性モーメントの調整量と目盛の数とを対応付けて歩度調整を行ってもよい。たとえば、調整者は、調整用錘１３１の１目盛分の回転による慣性モーメントの変化量を把握しておく。そして、調整者は、機械式時計の歩度の現在のずれ量をてん輪１００の慣性モーメントのずれ量に換算し、換算したずれ量をその変化量で除算した数の目盛分だけ調整用錘１３１を回転させる。これにより、機械式時計の歩度を正確に調整することができる。
【００６１】
また、このような目盛２１３をてん輪１００に設けることにより、てん輪１００を調速装置に用いた機械式時計の歩度調整の後に、歩度（てん輪１００の慣性モーメント）をどの程度調整したのかを視覚的に把握することが容易になる。
【００６２】
たとえば、上述の例においては、調整用錘１３１の回転角が初期の回転角から２目盛分だけ変化していた場合に、日差１０秒（変化量）に２を乗じた日差２０秒が、機械式時計に対して行われた歩度調整の量であると容易に把握することができる。これにより、たとえばてん輪１００の調整前の製造工程における品質管理等のために、調整前の機械式時計に生じた歩度のずれ量（またはてん輪１００に生じた慣性モーメントのずれ量）等の情報を得ることが容易になる。
【００６３】
（実施の形態にかかるてん輪において基準線をアームの表面に設けた構成）
図５は、実施の形態にかかるてん輪において基準線をアームの表面に設けた構成の一例を示す図である。図５において、図３に示した部分と同様の部分については同一の符号を付して説明を省略する。図５に示すように、基準印２２２は、ピン２２１の上面に限らずアーム１２１の表面に設けられてもよい。
【００６４】
図５に示す例では、基準印２２２は、アーム１２１における少なくとも調整用錘１３１の周辺に、リム１１０の経方向と直交する方向に設けられている。この場合においても、調整者は、目盛２１３と基準印２２２との間の相対的な位置関係を見ながら調整を行うことができる。
【００６５】
（実施の形態にかかるてん輪において目盛を調整用錘の側面に設けた構成）
図６は、実施の形態にかかるてん輪において目盛を調整用錘の側面に設けた構成の一例を示す図である。図６において、図５に示した部分と同様の部分については同一の符号を付して説明を省略する。図５に示したように基準印２２２をアーム１２１の表面のうち調整用錘１３１の周辺に設ける場合に、図６に示すように、目盛２１３を調整用錘１３１の側面に設けてもよい。
【００６６】
これにより、目盛２１３と基準印２２２との間の距離が近くなるため、調整者が目盛２１３と基準印２２２との間の相対的な位置関係を見ながら調整を行うことが容易になる。また、たとえば調整用錘１３１をピン２２１に圧入する際に、目盛２１３を傷つけることを防止することができる。
【００６７】
（実施の形態にかかるてん輪において目盛をアームに設けた構成）
図７は、実施の形態にかかるてん輪において目盛をアームに設けた構成の一例を示す斜視図である。図７において、図１に示した部分と同様の部分については同一の符号を付して説明を省略する。図７に示すように、調整用錘１３１に関する目盛２１３をアーム１２１に設けてもよい。同様に、調整用錘１３２〜１３４に関する各目盛をそれぞれアーム１２２〜１２４に設けてもよい。
【００６８】
（実施の形態にかかるてん輪において目盛をアームに設けた構成の一部）
図８は、実施の形態にかかるてん輪において目盛をアームに設けた構成の一部の一例を示す平面図である。図８において、図３に示した部分と同様の部分については同一の符号を付して説明を省略する。図８においては、図７に示した、調整用錘１３１と、アーム１２１のうち調整用錘１３１の周辺の部分と、を図示している。
【００６９】
調整用錘１３１について説明するが、調整用錘１３２〜１３４についても調整用錘１３１と同様である。図８に示すように、調整用錘１３１の上面には、調整用錘１３１の上面の円形状の経方向の基準印２２２が設けられている。図８に示す例では、基準印２２２は、調整用錘１３１を基準とした特定の方向を示す線分であり、切欠部２１２の方向と直交する方向の線分である。また、図８に示す例では、基準印２２２は、上述の調整用錘１３１の面取りされた部分も含めて設けられている。
【００７０】
目盛２１３は、アーム１２１のうち調整用錘１３１が設けられた側の表面に設けられた複数の目盛線からなる。目盛２１３の各目盛線は、天真１４０の軸の方向から見て、調整用錘１３１の円盤形状の経方向に、調整用錘１３１の外側の領域を含むように設けられた各線分である。したがって、目盛２１３の各目盛線は、調整用錘１３１の回転中心を中心とした円周上に（すなわち円周方向に）配列されている。
【００７１】
また、目盛２１３の各目盛線の間隔は、上述の例と同様に、調整用錘１３１の回転角と、調整用錘１３１がてん輪１００に与える慣性モーメントの調整量と、の間の非線形な関係に応じた、不等間隔の間隔となっている。たとえば、複数の目盛２１３のうち基準印２２２が示す目盛（基準印２２２と方向が一致する目盛）が１目盛だけ変化するように調整用錘１３１を回転させるごとに、調整用錘１３１がてん輪１００に与える慣性モーメントの調整量が一定量だけ変化するように、目盛２１３の各目盛の配置が設計される。
【００７２】
なお、図８に示した構成において、基準印２２２を、切欠部２１２の方向と直交する方向ではなく切欠部２１２の方向と平行な線分としてもよい。この場合は、目盛２１３は、たとえば、図８に示した各目盛線を、調整用錘１３１の回転中心を中心として９０度回転させた各目盛線とする。
【００７３】
図７，図８において説明したように、目盛２１３を調整用錘１３１ではなくアーム１２１に設けた構成としてもよい。この場合に、基準印２２２を調整用錘１３１に設けてもよい。すなわち、調整用錘１３１およびアーム１２１のうち、一方に目盛２１３を設け、他方に基準印２２２を設ければよい。アーム１２２〜１２４および調整用錘１３２〜１３４についても同様である。
【００７４】
図９は、実施の形態にかかるてん輪の目盛の他の一例を示す図である。図９において、図５と同様の構成については同一の符号を付して説明を省略する。図９に示すように、目盛２１３は、互いに隣接する各扇形状部であって、互いに隣接する扇形状部間で色が異なる各扇形状部であってもよい。図９に示す例では、目盛２１３は、調整用錘１３１に設けられ、着色された扇形状部と着色されていない扇形状部とが交互に配置されることにより形成されている。
【００７５】
また、図９に示す例において、着色の有無により色分けされた各扇形状部に限らず、たとえば白と黒などの２色に色分けされた各扇形状部としてもよい。また、図９に示す例において、３種類以上に色分けされた各扇形状部としてもよい。また、図９に示す例において、着色ではなく加工による凹凸で各扇形状が形成されていてもよい。また、図９に示したような扇形状部からなる目盛２１３を、たとえば図８に示した構成においてアーム１２１の側に設けてもよい。
【００７６】
このように、実施の形態にかかるてん輪１００においては、リム（たとえばリム１１０）およびアーム（たとえばアーム１２１〜１２４）を含む本体部に、回転により本体部に対する相対的な重心位置が変化する調整用錘（たとえば調整用錘１３１〜１３４）が設けられている。
【００７７】
また、本体部または調整用錘に目盛（たとえば目盛２１３）が設けられている。この目盛は、調整用錘の回転中心を中心とした円周上に配列されており、調整用錘の回転角と、調整用錘がてん輪に与える慣性モーメントの調整量と、の間の関係（たとえば回転角調整量特性４０１）に応じた一定でない間隔で設けられている。
【００７８】
これにより、てん輪１００を調速装置に用いた機械式時計の歩度調整を行う調整者は、この目盛を見ることで、機械式時計の歩度（てん輪１００の慣性モーメント）を正確に調整するために要する調整用錘の回転量を視覚的に容易に把握することができる。
【００７９】
また、実施の形態にかかるてん輪１００によれば、てん輪１００を調速装置に用いた機械式時計の歩度調整の後に、歩度（てん輪１００の慣性モーメント）をどの程度調整したのかを視覚的に把握することが容易になる。
【００８０】
また、実施の形態にかかるてん輪１００においては、本体部および調整用錘のうち上述の複数の目盛が設けられていない方に設けられ、複数の目盛のうち調整用錘の回転角に応じた目盛を示す印（たとえば基準印２２２）を備えてもよい。この場合に、上述の複数の目盛の間の各間隔は、調整用錘の回転に応じてその印が示す目盛が変化する回数（目盛数）とてん輪１００の慣性モーメントの調整量とが比例する各間隔となる。
【００８１】
これにより、調整者は、この印と目盛との相対的な位置関係を見ることで、機械式時計の歩度（てん輪１００の慣性モーメント）の現在の状態を容易に把握することができる。ただし、てん輪１００はこの印を有していなくてもよい。この場合においても、調整者は、たとえば、調整用錘に設けられた目盛と天真１４０との間の相対的な位置関係を見ることにより、機械式時計の歩度の現在の状態を把握することが可能である。または、調整者は、たとえば、本体部（たとえばアーム１２１）に設けられた目盛と調整用錘の切欠部（切欠部２１２）などとの間の相対的な位置関係を見ることで、機械式時計の歩度の現在の状態を把握することが可能である。
【００８２】
上述したてん輪１００の各構成は、各種の変形や組み合わせが可能である。たとえば、目盛２１３および基準印２２２のそれぞれが線分や各扇形状により実現される構成について説明したが、これらは線分や各扇形状に限らずドット（点）などにより実現されてもよい。
【００８３】
また、図５に示した構成において、さらに図６に示したように目盛２１３を調整用錘１３１の側面に設ける構成としてもよい。また、図７，図８に示した構成について、調整用錘１３１の上面および側面のいずれかのみに基準印２２２を設ける構成としてもよい。
【００８４】
また、てん輪１００が４本のアームを有し、それぞれのアームに調整用錘が１個ずつ設けられる構成について説明したが、このような構成に限らない。たとえば、てん輪１００のアームの本数は２本、３本、５本など任意の数とすることができる。また、それぞれのアームに調整用錘が複数個ずつ設けられてもよい。
【００８５】
また、各調整用錘が互いに同じ形状である構成について説明したが、このような構成に限らない。たとえば、調整用錘１３１，１３２は互いに同じ形状であり、調整用錘１３３，１３４は互いに同じ形状であり、調整用錘１３１，１３２と調整用錘１３３，１３４とは互いに異なる形状であってもよい。
【００８６】
また、上述の実施の形態において、調整用錘（たとえば調整用錘１３１〜１３４）をてん輪１００のアーム（たとえばアーム１２１〜１２４）に設ける構成について説明したが、このような構成に限らない。たとえば、調整用錘をリム（たとえばリム１１０）に設ける構成や、調整用錘をリムとアームの両方に設ける構成としてもよい。
【００８７】
以上説明したように、本発明にかかるてん輪および機械式時計によれば、歩度の調整作業の容易化を図ることができる。別の側面では、本発明にかかるてん輪および機械式時計によれば、てん輪に対して行った慣性モーメントの調整の量の把握の容易化を図ることができる。
【００８８】
なお、機械式時計の歩度調整を行うための方法として、上述のように調整用錘を用いる方法の他に、緩急針を動かすことによってひげぜんまいの有効長（ひげのばね力）を変化させる方法もある。ただし、この緩急針を用いる方法は、緩急針がない機械式時計においては使用できず、また、緩急針を設けるとひげぜんまいへの外的接触により調速性能が低下するという問題がある。
【００８９】
これに対して、上述のように調整用錘を用いる方法においては、緩急針を設けなくてもよいため調速性能の低下を回避できるが、てん輪の慣性モーメントの変化量と調整用錘の回転量とは比例しないため、一定間隔の目盛を見ても、てん輪の慣性モーメントを正確に調整するための調整用錘の回転量を視覚的に把握することは困難である。
【００９０】
これに対して、上述の実施の形態によれば、てん輪の慣性モーメントを一定量ずつ変化させる調整用錘の回転量を示す各目盛を設けることにより、てん輪の慣性モーメントを正確に調整するための調整用錘の回転量を視覚的に把握することが容易になる。
【産業上の利用可能性】
【００９１】
以上のように、この発明にかかるてん輪および機械式時計は、手巻きや自動巻きの機械式時計に有用であり、特に、てん輪の慣性モーメントの調整に調整用錘を用いる機械式時計に適している。
【符号の説明】
【００９２】
１００  てん輪
１１０  リム
１２１〜１２４  アーム
１３１〜１３４  調整用錘
１４０  天真
２１１  孔
２１２  切欠部
２１３  目盛
２２１  ピン
２２２  基準印
４０１  回転角調整量特性
【図１】
2020134308.tif 000003
【図２】
2020134308.tif 000004
【図３】
2020134308.tif 000005
【図４】
2020134308.tif 000006
【図５】
2020134308.tif 000007
【図６】
2020134308.tif 000008
【図７】
2020134308.tif 000009
【図８】
2020134308.tif 000010
【図９】
2020134308.tif 000011